(57)【要約】【課題】簡易な構成によって、敷地内の土砂が仮設フェンスの下端縁部と地盤面との間の間隔部分から敷地外にはみ出るのを防止できる仮設フェンスの下部土留め壁構造を提供する。【解決手段】フェンス支柱１３は、仮設フェンス１１の背面側の地盤面２０に打ち込まれた支柱杭１５に支持させて、仮設フェンス１１の倒れを防止するようになっている。下部土留め壁構造１０は、支柱杭１５に両端部を支持させて、面状フェンス部材１２の下部背面側に並設して設けられた、挿入口１６ａが下方に向けて開口する面状鞘部材１６と、この面状鞘部材１６に上下にスライド移動可能に遊嵌装着された土留めプレート部材１７とからなり、土留めプレート部材１７は、上部１７ｂを挿入口１６ａから面状鞘部材１６に挿入した状態で、自重によって下端縁部１７ａを地盤面２０に接触させて、面状フェンス部材１２の下端と地盤面２０との間の間隔部分２１を覆うようになっている。【選択図】図２
2011214222.tif 000002
【特許請求の範囲】
【請求項１】
ジャッキベースを介して地盤面から立設すると共に、所定の間隔をおいて配置された複数のフェンス支柱と、各隣接するフェンス支柱の間に両端部を支持させて各々取り付けられた面状フェンス部材とからなる仮設フェンスにおいて、前記面状フェンス部材の下端と地盤面との間の間隔部分を覆うための仮設フェンスの下部土留め壁構造であって、
前記フェンス支柱は、前記仮設フェンスの背面側の地盤面に打ち込まれた支柱杭に支持されることで、前記仮設フェンスの倒れを防止するようになっており、
前記支柱杭に両端部を支持させて、前記面状フェンス部材の下部背面側に並設して設けられた、挿入口が下方に向けて開口する面状鞘部材と、該面状鞘部材に上下にスライド移動可能に遊嵌装着された土留めプレート部材とからなり、
該土留めプレート部材は、上部を前記挿入口から前記面状鞘部材に挿入した状態で、自重によって下端縁部を地盤面に接触させることで、前記面状フェンス部材の下端と地盤面との間の間隔部分を覆うようになっている仮設フェンスの下部土留め壁構造。
【請求項２】
前記面状鞘部材の背面の側縁部分には、レール溝を側方に向けて開口させたガイドレール部材が縦方向に延設して設けられており、隣接する一対の前記面状フェンス部材の間で、各側縁部分に設けられた一対のガイドレール部材に両側の側端部を各々係止して隙間調整プレートを落とし込むことで、隣接する一対の前記土留めプレート部材の間の隙間を覆うようになっている請求項１記載の仮設フェンスの下部土留め壁構造。
【請求項３】
前記面状鞘部材の側縁部分から前記面状フェンス部材側に突出して、固定用プレート片が各々設けられており、該固定用プレート片を介して前記面状鞘部材の両端部が前記支柱杭に支持固定される請求項１又は２記載の仮設フェンスの下部土留め壁構造。
【発明の詳細な説明】
【技術分野】
【０００１】
本発明は、仮設フェンスの下部土留め壁構造に関し、特にジャッキベースを介して地盤面から立設する複数のフェンス支柱と、このフェンス支柱に支持させて取り付けられた面状フェンス部材とからなる仮設フェンスに取り付けて用いる仮設フェンスの下部土留め壁構造に関する。
【背景技術】
【０００２】
土木工事や建築工事の施工現場や、各種の屋外でのイベント会場等においては、工事中や開催中の事故の防止や、防犯、目隠し等を目的として、施工現場やイベント会場等の敷地の周囲に組立式の仮設フェンスが設けられることが多い。
【０００３】
仮設フェンスは、高さを調整可能にするための雄ネジ部を有するジャッキベースを介して地盤面から立設する複数のフェンス支柱に支持させて、面状フェンス部材を取り付けることによって組み立てられるのが一般的である（例えば、特許文献１、特許文献２参照）。また、これらの仮設フェンスは、前後方向の倒れを防止するために、これの背面側の地盤に打ち込まれた支柱杭に、フェンス支柱を、直接又は控え柱等を介して支持させるようになっている。
【先行技術文献】
【特許文献】
【０００４】
【特許文献１】特開２００２−１２９５２９号公報
【特許文献２】特開２００５−１３９６８９号公報
【発明の概要】
【発明が解決しようとする課題】
【０００５】
上述の仮設フェンスでは、ジャッキベースを介してフェンス支柱が地盤面から立設していることから、フェンス支柱に取り付けられた面状フェンス部材の下端縁部と地盤面との間には間隔が保持されることになる。一方、例えば土木工事や建築工事の施工現場では、敷地内で掘削、盛土、埋戻し等の各種の土工事が行なわれることになるが、敷地内をなるべく広く使用するために、例えば掘削よって発生した土砂を敷地内の仮設フェンスに沿った周縁部分に仮置きしておく際に、仮置きされた土砂が、面状フェンス部材の下端縁部と地盤面との間の間隔部分を介して敷地外にはみ出る惧れがある。
【０００６】
本発明は、簡易な構成によって、仮設フェンスによって囲まれる敷地内の土砂が、面状フェンス部材の下端縁部と地盤面との間の間隔部分を介して敷地外にはみ出るのを効果的に防止することのできる仮設フェンスの下部土留め壁構造を提供することを目的とする。
【課題を解決するための手段】
【０００７】
本発明は、ジャッキベースを介して地盤面から立設すると共に、所定の間隔をおいて配置された複数のフェンス支柱と、各隣接するフェンス支柱の間に両端部を支持させて各々取り付けられた面状フェンス部材とからなる仮設フェンスにおいて、前記面状フェンス部材の下端と地盤面との間の間隔部分を覆うための仮設フェンスの下部土留め壁構造であって、前記フェンス支柱は、前記仮設フェンスの背面側の地盤面に打ち込まれた支柱杭に支持されることで、前記仮設フェンスの倒れを防止するようになっており、前記支柱杭に両端部を支持させて、前記面状フェンス部材の下部背面側に並設して設けられた、挿入口が下方に向けて開口する面状鞘部材と、該面状鞘部材に上下にスライド移動可能に遊嵌装着された土留めプレート部材とからなり、該土留めプレート部材は、上部を前記挿入口から前記面状鞘部材に挿入した状態で、自重によって下端縁部を地盤面に接触させることで、前記面状フェンス部材の下端と地盤面との間の間隔部分を覆うようになっている仮設フェンスの下部土留め壁構造を提供することにより、上記目的を達成したものである。
【０００８】
また、本発明の仮設フェンスの下部土留め壁構造は、前記面状鞘部材の背面の側縁部分には、レール溝を側方に向けて開口させたガイドレール部材が縦方向に延設して設けられており、隣接する一対の前記面状フェンス部材の間で、各側縁部分に設けられた一対のガイドレール部材に側端部を各々係止して隙間調整プレートを落とし込むことで、隣接する一対の前記土留めプレート部材の間の隙間を覆うようになっていることが好ましい。
【０００９】
さらに、本発明の仮設フェンスの下部土留め壁構造は、前記面状鞘部材の側縁部分から前記面状フェンス部材側に突出して、固定用プレート片が各々設けられており、該固定用プレート片を介して前記面状鞘部材の両端部が前記支柱杭に支持固定されることが好ましい。
【発明の効果】
【００１０】
本発明の仮設フェンスの下部土留め壁構造によれば、簡易な構成によって、仮設フェンスによって囲まれる敷地内の土砂が、面状フェンス部材の下端縁部と地盤面との間の間隔部分を介して敷地外にはみ出るのを効果的に防止することができる。
【図面の簡単な説明】
【００１１】
【図１】本発明の好ましい一実施形態に係る下部土留め壁構造が設けられる仮設フェンスの正面図である。
【図２】本発明の好ましい一実施形態に係る下部土留め壁構造の構成を説明する、図１のＡ−Ａに沿った、面状フェンス部材を省略して示す断面図である。
【図３】本発明の好ましい一実施形態に係る下部土留め壁構造の構成を説明する、図１のＢ−Ｂに沿った略示断面図である。
【図４】面状鞘部材及び土留めプレート部材の側面図である。
【図５】傾斜する地盤面に取り付けられた仮設フェンスの正面図である。
【発明を実施するための形態】
【００１２】
本発明の好ましい一実施形態に係る仮設フェンスの下部土留め壁構造１０は、図１に示すように、例えば住宅建築物等の建物の建築施工現場において、敷地の周囲に設けられた組立式の仮設フェンス１１における、面状フェンス部材１２の下方の地盤面２０との間の間隔部分２１から、敷地内の掘削土砂等の土砂が、敷地外にはみ出ないようにするための構造として設けられたものである。すなわち、仮設フェンス１１を構成する複数のフェンス支柱１３は、高さ調整が可能なようにジャッキベース１４を介して地盤面２０から立設しており、フェンス支柱１３に両端部を支持されて取り付けられる面状フェンス部材１２は、地盤面２０から間隔をおいて浮いた状態で取り付けられていることから、このような面状フェンス部材１２の下方の間隔部分２１を介して、例えば敷地内の仮設フェンス１１に沿った周縁部分に仮置きされた掘削土砂が、敷地外にはみ出ないようにするために、本実施形態の仮設フェンスの下部土留め壁構造１０が設けられる。
【００１３】
そして、本実施形態の仮設フェンスの下部土留め壁構造１０は、ジャッキベース１４を介して地盤面２０から立設すると共に、所定の間隔をおいて配置された複数のフェンス支柱１３と、各隣接するフェンス支柱１３の間に両端部を支持させて各々取り付けられた面状フェンス部材１２とからなる仮設フェンス１１において、面状フェンス部材１２の下端と地盤面２０との間の間隔部分２１を覆うための構造であって、図２及び図３に示すように、フェンス支柱１３は、仮設フェンス１１の背面側の地盤面２０に打ち込まれた支柱杭１５に支持されることで、仮設フェンス１１の倒れ（敷地の内外方向の倒れ）を防止するようになっており、下部土留め壁構造１０は、支柱杭１５に両端部を支持させて、面状フェンス部材１２の下部背面側に並設して設けられた、挿入口１６ａ（図４参照）が下方に向けて開口する面状鞘部材１６と、この面状鞘部材１６に上下にスライド移動可能に遊嵌装着された土留めプレート部材１７とからなり、土留めプレート部材１７は、上部１７ｂを挿入口１６ａから面状鞘部材１６に挿入した状態で、自重によって下端縁部１７ａを地盤面２０に接触させることで、面状フェンス部材１２の下端と地盤面２０との間の間隔部分２１を覆うようになっている。
【００１４】
また、本実施形態では、面状鞘部材１６の背面の両側の側縁部分には、レール溝１８ａが側方に向けて開口するガイドレール部材１８が縦方向に延設して設けられており、隣接する一対の面状フェンス部材１２の間で、各側縁部分に設けられた一対のガイドレール部材１８に両側の側端部を各々係止して、隙間調整プレート１９を落とし込むことで、隣接する一対の土留めプレート部材１７の間の隙間を覆うようになっている。
【００１５】
本実施形態では、仮設フェンス１１を構成する各フェンス支柱１３は、例えはφ５０ｍｍ程度の中空円筒形状の金属製のパイプ部材からなり、例えば１５０ｃｍ程度の長さを有している。各フェンス支柱１３は、下端開口に公知のジャッキベース１４の雄ネジロッド１４ａを挿入することで、ジャッキベース１４を介して地盤面２０から立設すると共に、雄ネジロッド１４ａに螺着された支持スリーブ１４ｂ（図２参照）を回転さて、当該支持スリーブ１４ｂを雄ネジロッド１４ａに沿って上下に移動させることで、フェンス支柱１３の高さを各々調整できるようになっている。また、フェンス支柱１３は、例えば敷地の境界線に沿って、面状フェンス部材１２の幅に対応する例えば１６０〜１７０ｃｍ程度の所定の間隔をおいて複数立設配置されると共に、各隣接するフェンス支柱１３の間には、公知の係合手段を介して両端部をフェンス支柱１３に支持させて、面状フェンス部材１２が各々取り付けられる。
【００１６】
仮設フェンス１１を構成する各面状フェンス部材１２は、図１に示すように、矩形形状のフェンスフレーム１２ａと、フェンスフレーム１２ａに周縁部を支持されてこれの内側に取り付けられた防護部材１２ｂとからなり、防護部材１２ｂとして、防護ネットや防護バネルが用いられる。本実施形態では、フェンスフレーム１２ａは、横断フレーム１２ｃによって上下２段に仕切られており、上段部分に防護ネットが、下段部分に防護バネルが各々取り付けられるようになっている。
【００１７】
また、本実施形態では、フェンス支柱１３は、図２に示すように、仮設フェンス１１の背面側（敷地内側）の地盤面２０に打ち込まれた支柱杭１５に直接支持されることで、仮設フェンス１１の敷地の内外方向の倒れが防止されるようになっている。すなわち、支柱杭１５は、例えば単管パイプからなり、フェンス支柱１３に近接するこれの敷地内側に、各フェンス支柱１３と平行に立設するように各々打ち込まれる。打ち込まれた支柱杭１５には、公知の単管パイプ用のクランプ部材２２を用いて、フェンス支柱１３が、ジャッキベース１４の上方の上下２箇所で各々強固に支持固定されることになる。
【００１８】
そして、本実施形態では、仮設フェンスの下部土留め壁構造１０は、図３にも示すように、フェンス支柱１３と平行に立設して打ち込まれ支柱杭１５に両端部を支持させて取り付けられた面状鞘部材１６と、この面状鞘部材１６に上下にスライド移動可能に遊嵌装着された、土留めプレート部材１７とを含んで構成される。
【００１９】
面状鞘部材１６は、例えば面状フェンス部材１２と略同様の例えば１６０〜１７０ｃｍ程度の横幅を有すると共に、面状フェンス部材１２の下端と地盤面２０との間の間隔部分２１の高さよりも大きな縦幅として、例えば２０〜３０ｃｍ程度の縦幅を有する一対の矩形形状の金属製の薄板を、例えば２０〜３０ｍｍ程度の間隔をおいて重ね合わせた状態で、挿入口１６ａとなる一方の長辺部を除く、３方の周縁部を一体接合することにより、内側に土留めプレート部材１７を遊嵌可能な中空部を保持した状態で形成される。
【００２０】
また、本実施形態では、面状鞘部材１６の敷地内側の面となる背面側には、これの両側の側縁部分に、例えば扁平なコの字断面形状を有するガイドレール部材１８が、面状鞘部材１６の短辺部と平行な縦方向に延設して取り付けられている。ガイドレール部材１８は、面状鞘部材１６の短辺部の長さ（縦幅）に相当する例えば２０〜３０ｃｍ程度の長さを有すると共に、例えば１００ｍｍ程度の幅を有しており、例えば溶接接合等によって、コの字断面形状の内側のレール溝１８ａを、隣接する面状鞘部材１６側である側方に向けて開口させた状態で、面状鞘部材１６の高さ方向の略全長に亘って取り付けられる。
【００２１】
なお、ガイドレール部材１８は、面状鞘部材１６に対してボルト接合等によって、回動可能に一点式で接合しておくこともできる。これによって、ガイドレール部材１８を、面状鞘部材１６に対して適宜傾倒させることが可能になり、仮設フェンス１１が設置される地盤面２０が傾斜している場合に、これに対応させて隙間調整プレート１９を斜め方向に落とし込むことが可能になる。
【００２２】
さらに、本実施形態では、面状鞘部材１６の両側の端縁部分からこれの敷地外側である面状フェンス部材１２側に突出して、固定用プレート片２３が各々設けられており、この固定用プレート片２３を介して面状鞘部材１６の両端部が支柱杭１５に支持固定されるようになっている。すなわち、固定用プレート片２３は、図４にも示すように、例えば帯板形状の金属プレートからなり、一方の端部を面状鞘部材１６の敷地外側の面である表面に溶接接合することで、当該表面から敷地外側に垂直に突出した状態で、面状鞘部材１６の上端角部及び下端角部に２段に取り付けられる。
【００２３】
また、各固定用プレート片２３の面状鞘部材１６への接合端部とは反対側の先端部分には、ボルト締着穴２４が各々開口形成されている。このボルト締着穴２４には、支柱杭１５において固定用プレート片２３の取付け高さ位置に固定された、公知の単管パイプ用の両側ボルト付きクランプ部材２５（図３参照）の雄ネジボルト２５ａが挿通されて、蝶ナット２６によって締着されることにより、面状鞘部材１６が、支柱杭１５によって支持されて、面状フェンス部材１２から例えば６０ｍｍ程度の間隔をおいて、当該面状フェンス部材１２の下部背面側に並設して取り付けられることになる。
【００２４】
面状鞘部材１６に遊嵌装着される土留めプレート部材１７は、面状鞘部材１６の横幅よりも小さな、例えば１５８〜１６８ｃｍ程度の横幅を有すると共に、面状鞘部材１６の縦幅と略同様の、例えば１９〜２９ｃｍ程度の縦幅を有する矩形形状の金属製の薄板部材である。土留めプレート部材１７は、上部を面状鞘部材１６に挿入した状態で、自重によって下端縁部１７ａを地盤面２０に接触させることで、面状フェンス部材１２の下端と地盤面２０との間の間隔部分２１の高さに応じた突出長さで面状鞘部材１６から突出して、面状フェンス部材１２の下方の間隔部分２１を覆うようになっている。また、土留めプレート部材１７は、面状鞘部材１６の横幅よりも小さな横幅を有していて、これの中空内部に遊嵌装着されていることで、仮設フェンス１１が設置される地盤面２０が傾斜している場合に、これに対応させて土留めプレート部材１７を傾斜させた状態で、下端縁部１７ａを地盤面２０に接触させることができるようになっている。
【００２５】
隣接する一対の土留めプレート部材１７の間の隙間に落し込まれる隙間調整プレート１９は、例えば２０〜３０ｃｍ程度の横幅を有すると共に、面状鞘部材１６の縦幅と同様の、例えば３０〜４０ｃｍ程度の縦幅を有する矩形形状の金属製の薄板部材である。隙間調整プレート１９は、隣接する一対の面状鞘部材１６の間で、これらの側縁部分に各々設けられた一対のガイドレール部材１８のレール溝１８ａに両側の側端部を各々係止した状態で、ガイドレール部材１８に沿って上下にスライド移動可能に設けられる。隙間調整プレート１９は、両側の一対のガイドレール部材１８間の間隔よりも長く、且つ両側の一対のレール溝１８ａの最深部間の間隔よりも短い横幅を有しており、これによって、一対のガイドレール部材１８の間に遊嵌装着されるようになっている。隙間調整プレート１９が一対のガイドレール部材１８の間に遊嵌装着されていることで、仮設フェンス１１が設置される地盤面２０が傾斜している場合に、これに対応させて隙間調整プレート１９を傾斜させた状態で、隣接する一対の面状鞘部材１６及び土留めプレート部材１７の間の隙間を背面側から覆って下端縁部を地盤面２０に接触させることができるようになっている。
【００２６】
そして、本実施形態の仮設フェンスの下部土留め壁構造１０によれば、フェンス支柱１３の背面側の地盤面２０に打ち込まれた支柱杭１５に両端部を支持させて、土留めプレート部材１７が遊嵌装着された面状鞘部材１６を取り付けるだけの簡易な構成によって、土留めプレート部材１７により面状フェンス部材１２の下端と地盤面２０との間の間隔部分２１を覆うことで、例えば敷地内の仮設フェンス１１に沿った周縁部分に仮置きされた掘削土砂が、敷地外にはみ出るのを効果的に回避することが可能になる。
【００２７】
また、本実施形態によれば、隣接する一対の面状フェンス部材１２の間で、各側縁部分に設けられた一対のガイドレール部材１８に両側の側端部を各々係止して、隙間調整プレート１９を落とし込むことで、隣接する一対の土留めプレート部材１７の間の隙間を覆うようになっているので、敷地内の土砂が敷地外にはみ出るのをさらに効果的に回避することが可能になる。
【００２８】
したがって、本実施形態の仮設フェンスの下部土留め壁構造１０によれば、簡易な構成によって、仮設フェンス１１によって囲まれる敷地内の土砂が、面状フェンス部材１２の下端縁部と地盤面２０との間の間隔部分２１を介して敷地外にはみ出るのを効果的に防止することが可能になる。
【００２９】
なお、本発明は上記実施形態に限定されることなく種々の変更が可能である。例えば、本発明の下部土留め壁構造は、住宅建築物等の建築施工現場の他、土木工事の施工現場や、各種のイベント会場等の、その他の種々の敷地の周囲に設けられた仮設フェンスに取り付けて用いることができる。また、隣接する一対の土留めプレート部材の間の隙間を覆う隙間調整プレートは、必ずしも設ける必要はない。さらに、例えば図５に示すように、傾斜が急な地盤面２０に仮設フェンス１１が設けられる場合には、各面状フェンス部材１２の両側部に各々一対のフェンス支柱１３が配置されることになるが、各フェンス支柱１３の背面側の地盤面２０に各々支柱杭１５を打ち込むことで、上記実施形態と同様に、面状鞘部材と土留めプレート部材とによる下部土留め壁構造を容易に設けることができる。
【符号の説明】
【００３０】
１０  仮設フェンスの下部土留め壁構造
１１  仮設フェンス
１２  面状フェンス部材
１３  フェンス支柱
１４  ジャッキベース
１５  支柱杭
１６  面状鞘部材
１６ａ  挿入口
１７  土留めプレート部材
１８  ガイドレール部材
１８ａ  レール溝
１９  隙間調整プレート
２０  地盤面
２１  間隔部分
２２，２５  クランプ部材
２３  固定用プレート片
２４  ボルト締着穴
【図１】
2011214222.tif 000003
【図２】
2011214222.tif 000004
【図３】
2011214222.tif 000005
【図４】
2011214222.tif 000006
【図５】
2011214222.tif 000007